(57)【要約】【課題】  肌のかぶれを抑制することが可能な新たなおむつを提供する。【解決手段】  着用時に着用者の肌に当てられる面に、下式（Ｉ）    【化１】で表されるジアミド誘導体を塗布する。【選択図】      図１
2004255166.tif 000002
【特許請求の範囲】
【請求項１】
着用時に着用者の肌に当てられる面に、下式（Ｉ）
【化１】
2004255166.tif 000006
で表されるジアミド誘導体が塗布されていることを特徴とする吸収性物品。
【請求項２】
液不透過性の外層シートと、該外層シート上に固定された吸収体と、該吸収体を平面視上覆う液透過性の表面シートとを少なくとも備え、
前記ジアミド誘導体が前記表面シートに塗布されている請求項１記載の吸収性物品。
【請求項３】
前記着用時に着用者のウエスト周りに配されるウエストフラップと、前記着用時に着用者の鼠けい部周辺から大腿部周りにかけて配されるレッグフラップとを有し、前記ジアミド誘導体が前記ウエストフラップおよび／または前記レッグフラップに塗布されている請求項１または２記載の吸収性物品。
【請求項４】
前記吸収体に近接して該吸収体の長手方向に延在する立体ガードを有し、
前記ジアミド誘導体が前記立体ガードに塗布されている請求項１〜３いずれかに記載の吸収性物品。
【請求項５】
前記ジアミド誘導体に加えてシリコーンが塗布されている請求項１〜４のいずれかに記載の吸収性物品。
【発明の詳細な説明】
【技術分野】
【０００１】
本発明は、スキンケア剤を含有する吸収性物品に関する。
【背景技術】
【０００２】
おむつは、着用時間が比較的長く、その間に数度の排泄があるため、汗や排泄物によって内部の湿度が非常に高くなり易い。特に、ウエスト周りからの吸収漏れを抑制するためにウエストギャザーが設けられたおむつや、大腿部周りからの吸収漏れを抑制するためにレッグギャザーが設けられたおむつでは、これらのギャザーが形成されていないおむつに比べて、内部の湿度が高くなり易い。
このため、汗をかき易い部位では特に、蒸れによってかぶれが生じ易い状態になる。同様のことが、生理用ナプキン、失禁パッド、パンティライナー、おりものシート等、おむつ以外の吸収性物品についてもいえる。
【０００３】
そこで、スキンケア効果を付与してかぶれの発生を抑制した吸収性物品が提案されている。
例えば特許文献１、２には、エモリエント剤と当該エモリエント剤を固定化し得る固定化剤とを含むローション剤がトップシートまたは脚部カフスに塗布された吸収製品ないし吸収性用品が記載されている。また、特許文献３、４には、所定部位に所定の薬効を有する薬剤が固定ないし保持された吸収性物品が記載されている。
【特許文献１】特許３２１７７９２号公報
【特許文献２】特許３２１７７９３号公報
【特許文献３】特開２００２−１１３０３９号公報
【特許文献４】特開２００２−２００１１２号公報
【発明の開示】
【発明が解決しようとする課題】
【０００４】
本発明の目的は、肌のかぶれを抑制することが可能な新たな吸収性物品を提供することにある。
【課題を解決するための手段】
【０００５】
以下、本発明について説明する。なお、本発明の理解を容易にするために添付図面の参照符号を括弧書きにて付記するが、それにより本発明が図示の形態に限定されるものではない。
【０００６】
本発明の一態様では、着用時に着用者の肌に当てられる面に、下式（Ｉ）
【化１】
2004255166.tif 000003
で表されるジアミド誘導体が塗布されていることを特徴とする吸収性物品（７０）を提供して、上記の目的を達成する。
【０００７】
上記の式（Ｉ）で表されるジアミド誘導体は、国際公開公報ＷＯ００／６１０９７号に記載されている発明のジアミド誘導体であり、角質層の水分保持能力およびバリヤ機能を改善する、という薬効を有している。
【０００８】
このジアミド誘導体を吸収性物品の所定の面、すなわち、着用時に着用者の肌に当てられる面に塗布しておくと、吸収性物品の着用に伴って当該ジアミド誘導体が着用者の肌に移行して油性スキンケア剤として機能する。
したがって、上記の吸収性物品では肌のかぶれを抑制することが可能である。
【発明の効果】
【０００９】
本発明によれば、肌のかぶれを抑制することが可能な新たなおむつが提供される。
本発明のこのような作用及び利得は、次に説明する発明を実施するための最良の形態から明らかにされる。
【発明を実施するための最良の形態】
【００１０】
以下、本発明の吸収性物品の実施形態について、図面を参照しつつ具体的に説明する。
【００１１】
図１（Ａ）は、本発明に係る一実施形態の吸収性物品を緊張状態に保持し、これを上面からみたときの概略図であり、図１（Ｂ）は、図１（Ａ）に示した吸収性物品を自然状態に保持して図１（Ａ）に示したＩＢ−ＩＢ線に相当する箇所で切断したときの断面の概略図である。
【００１２】
ここで、本明細書で吸収性物品についていう「上面」とは、着用時に着用者の体表側に当てられる面を上にして置かれた吸収性物品についての上面を意味する。また、「吸収性物品を緊張状態に保持する」とは、吸収性物品に設けられている弾性体の収縮に起因する変形が実質的に消失するように、当該吸収性物品をその幅方向および長手方向に張力を加えて保持することを意味する。
【００１３】
図示の吸収性物品７０は展開型のおむつ（以下、「おむつ７０」という。）であり、図１（Ａ）中に矢印Ｄ１で示す長手方向（以下、「長手方向Ｄ１」という。）に沿って、便宜上、３つの領域に区分することができる。１つは、主として着用者の臀部から背部に当てられる背側領域Ｒ１であり、他の１つは主として着用者の下腹部に当てられる股下領域Ｒ２であり、さらに他の１つは、主として着用者の腹部に当てられる腹側領域Ｒ３である。
【００１４】
着用者の大腿部へのフィット性を高め、かつ、装着性をよくするために、股下領域Ｒ２の幅方向Ｄ２の両側にはレッグ開口部１ａ、１ｂが形成されており、その結果として、股下領域Ｒ２の幅は他の２つの領域Ｒ１、Ｒ３の最大幅よりも狭くなっている。背側領域Ｒ１における股下領域Ｒ２側の縁部の幅、および腹側領域Ｒ３における股下領域Ｒ２側の縁部の幅は、股下領域Ｒ２に近づくに従って漸次狭くなっている。
【００１５】
背側領域Ｒ１における幅方向Ｄ２の左右両側縁に分かれて、面状ファスナ用オス材３ａを片面に備えたテープ状部材３が一対固定されている。また、腹側領域Ｒ３の裏面（外側面）には、着用時にテープ状部材３を止着するために、例えば不織布からなる面状ファスナ用メス材（図示せず。）が固着されている。
【００１６】
図１（Ｂ）に示すように、おむつ７０は、着用時に着用者の肌に接する内側シート１０と、当該内側シート１０の裏側（外側）に配された外層シート１５（図１（Ｂ）参照）と、排泄物を吸収するための吸収体２０とを備えており、吸収体２０は、内側シート１０と外層シート１５との間に配置されている。
【００１７】
内側シート１０は、不織布等によって形成された液透過性の表面シート１１と、不織布等によって形成された液不透過性のサイドシート１３ａ、１３ｂとを有しており、表面シート１１は吸収体２０を平面視上覆っている。当該表面シート１１おける幅方向Ｄ２の左側縁および右側縁に、サイドシート１３ａまたは１３ｂが１枚ずつ接合されている。
【００１８】
外層シート１５は、ポリエチレン、ポリプロピレン、ポリエステル等の有機高分子材料を利用して形成された液不透過性のシートであり、排泄物の漏出を防止する。
【００１９】
吸収体２０は、例えば、レーヨン、セルロース等の親水性繊維の集合体や、ポリエチレン繊維、ポリプロピレン繊維等の合成繊維に親水化処理を施したものの集合体、前記親水性繊維と前記親水化処理を施した合成繊維との集合体、あるいは、これらの集合体に吸水性ポリマーを保持させたもの等からなる吸収材層によって、または、当該吸収材層を紙、不織布、開孔フィルム等の１種または複数種で包むことによって形成される。
【００２０】
内側シート１０の輪郭形状および大きさは外層シート１５の輪郭形状および大きさと略同じであり、当該内側シート１０および外層シート１５によって、テープ状部材３の各々を除いたおむつ７０の平面視上の輪郭形状および大きさが実質的に決定されている。
【００２１】
図１（Ａ）に示すように、長手方向Ｄ１についてみたときに、吸収体２０の長手方向端よりも更に外側の領域が、着用時に着用者のウエスト周りに配されるウエストフラップ３０ａ、３０ｂである。また、レッグ開口部１ａ、１ｂよりもウエストフラップ３０ａ、３０ｂよりの領域における吸収体２０の幅方向側縁よりも外側の領域が、着用時に着用者の胴周りに配される胴回りフラップ３５ａ、３５ｂである。したがって、背側領域Ｒ１および腹側領域Ｒ３のそれぞれに、ウエストフラップ３０ａまたは３０ｂ、および、胴回りフラップ３５ａまたは３５ｂがある。図１（Ａ）においては、背側領域Ｒ１中のウエストフラップ３０ａ、および腹側領域Ｒ３中のウエストフラップ３０ｂに、それぞれスマッジングを付してある。
【００２２】
ウエストフラップ３０ａには、幅方向Ｄ２に延在するようにして、複数本の伸縮弾性部材３３ａ（以下、「ウエスト弾性部材３３ａ」という。）が配されている。同様に、ウエストフラップ３０ｂには、幅方向Ｄ２に延在するようにして、複数本の伸縮弾性部材３３ｂ（以下、「ウエスト弾性部材３３ｂ」という。）が配されている。
【００２３】
これらのウエスト弾性部材３３ａ、３３ｂとしては、例えば糸ゴムや平ゴム等が用いられ、いずれのウエスト弾性部材３３ａ、３３ｂも、内側シート１０と外層シート１５との間に伸張状態の下に固定されている。このため、おむつ７０が自然状態にあるときやおむつ７０の着用時には、ウエスト弾性部材３３ａ、３３ｂの各々が相対的に収縮して、各ウエストフラップ３０ａ、３０ｂにウエストギャザーが形成される。
【００２４】
また、本実施形態においては、胴回りフラップ３５ａ、３５ｂそれぞれに伸縮弾性部材３７ａまたは３７ｂ（以下、「胴回り弾性部材３７ａ、３７ｂ」という。）が複数本ずつ配されている。さらに、幅方向Ｄ２についてみたときの吸収体２０の左側方（図１（Ａ）での左側方）に位置するレッグフラップ４５ａには、長手方向Ｄ１に延在するようにして複数本の伸縮弾性部材４０ａ（以下、「レッグ弾性部材４０ａ」という。）が配され、吸収体２０の右側方（図１（Ａ）での右側方）に位置するレッグフラップ４５ｂには、長手方向Ｄ１に延在するようにして複数本の伸縮弾性部材４０ｂ（以下、「レッグ弾性部材４０ｂ」という。）が配されている。図１（Ａ）においては、各レッグフラップ４５ａ、４５ｂにスマッジングを付してある。ただし、図示した領域４５ａ、４５ｂそれぞれの範囲は厳密なものではなく、大まかなものである。
【００２５】
上述の胴回り弾性部材３７ａ、３７ｂおよびレッグ弾性部材４０ａ、４０ｂとしても、ウエスト弾性部材３３ａ、３３ｂと同様に糸ゴムや平ゴム等が用いられ、いずれの弾性部材３７ａ、３７ｂ、４０ａ、４０ｂも、内側シート１０と外層シート１５との間に伸張状態の下に固定されている。このため、おむつ７０が自然状態にあるときやおむつ７０の着用時には、各胴回り弾性部材３７ａ、３７ｂが相対的に収縮して胴回りフラップ３５ａ、３５ｂに胴回りギャザーが形成されると共に、各レッグ弾性部材４０ａ、４０ｂが相対的に収縮してレッグフラップ４５ａ、４５ｂにレッグギャザーが形成される。レッグギャザーは、着用時に着用者の鼠けい部周辺から大腿部周りにかけて当てられる。
【００２６】
おむつ７０は、上述した各ギャザーに加えて、吸収体２０に近接して配置されたギャザーである立体ガード６０ａ、６０ｂを有している。これらの立体ガード６０ａ、６０ｂは、いずれも、おむつ７０の長手方向Ｄ１に沿って設けられている。
【００２７】
図示の立体ガード６０ａ、６０ｂは、サイドシート１３ａまたは１３ｂ（図１（Ｂ）参照）を表面シート１１の一部に接着して固定端とし、自由端（外層シート１５からみて遠い側の端）となる領域の内側に、長手方向Ｄ１に延在する伸縮弾性部材６３ａまたは６３ｂを伸張状態で固定することによって着用者方向に起立するように形成されている。着用時においては自由端部が着用者肌側へ起立して立体的なギャザー部を形成する。
【００２８】
本実施形態のおむつ７０の最大の特徴は、前記式（Ｉ）で表されるジアミド誘導体が表面シート１１、ウエストフラップ３０ａ、３０ｂ、胴回りフラップ３５ａ、３５ｂ、およびレッグフラップ４５ａ、４５ｂそれぞれの内側面（着用者の肌に当てられる側の面）全体またはその一部に塗布されていることにある。
【００２９】
上記のジアミド誘導体は、おむつ７０の着用に伴って着用者の肌に移行して、（１）排泄物が着用者の肌に直接触れるのを抑制して当該排泄物による皮膚刺激を抑える、（２）肌とおむつとの摩擦を弱めておむつによる皮膚刺激を低減させる、（３）経皮吸収された後には角質層の水分保持能力およびバリヤ機能を改善する、といった機能を果たし、油性スキンケア剤として働く。したがって、おむつ７０では肌のかぶれが抑制される。
【００３０】
上記のジアミド誘導体としては、当該ジアミド誘導体を着用者の肌へ効率よく移行させるという観点から、３６℃における粘度が概ね５０００ｍＰａ・ｓ以下、特に２００〜５０００ｍＰａ・ｓ、とりわけ５００〜２０００ｍＰａ・ｓのものを使用するか、そのようになるように粘度調節したものを用いることが好ましい。
上記粘度のものを用いることによって、着用者の肌へ当該油性スキンケア剤を効果的に移行させることができる。粘度が５０００ｍＰａ・ｓ以下であると肌への移行性が極めて良好となり、所望のかぶれ抑制効果を発現するために多量の油性スキンケア剤を用いる必要がない。また、吸収性への影響が小さくなる。また、粘度が２００ｍＰａ・ｓ以上の場合は吸収性物品の着用前の保存期間が長期に亘る場合であっても上記ジアミド誘導体が他の部位へ移行してしまうことが有効に防止できるので所望のスキンケア効果が効果的に得られる。
【００３１】
なお、本発明でいう「ジアミド誘導体の粘度」は、以下のようにして測定した。
＜粘度の測定方法＞
音叉型振動式粘度計（本実施形態では代表的に、VIBRO NISCOMETERCJV5000（株式会社エー・アンド・デイ社製）を使用した）を用いて測定を行う。予め１００℃程度に加熱したジアミド誘導体を室温まで徐冷し、所望温度での粘度を測定する。
【００３２】
本発明で使用するジアミド誘導体は、粘度の温度依存性が小さいものが好ましい。具体的には、３６℃での粘度が上述の範囲であって、かつ８０℃での粘度が５０〜２００ｍＰａ・ｓであるものが好ましい。粘度の温度依存性が小さいと、シートにジアミド誘導体を均一に塗工し易く、しかも多少の温度変化が起きたとしても安定してシート上に固定されているので、吸収体へジアミド誘導体が浸み込んだり拡散したりすることによる吸収阻害が起きにくい。
【００３３】
吸収性物品もしくはその材料へのジアミド誘導体の塗布は、例えば、当該ジアミド誘導体を塗工装置（アプリケーター）のタンク内に投入し、必要に応じて加熱してその流動性を高めてから、吸収性物品もしくはその材料の所定箇所にコーティングすることによって行うことができる。
【００３４】
コーティング方式としては、ダイスコーター方式、スロットスプレー方式、カーテンスプレー方式、メルトブローン方式、スパイラルスプレー方式、グラビア方式、ビード方式等が挙げられる。
【００３５】
スプレー方式のようにエアーで吹き付ける方式を適用した場合には、ジアミド誘導体が細かい粒子、あるいは霧状となって塗布対象物の表面に吹き付けられる。このため、ジアミド誘導体は、巨視的には塗布対象物上に連続して設けられるが、微視的には塗布対象物の表面に不連続的に分布することとなる。
【００３６】
その結果として、スキンケア効果を広い範囲で奏しつつ表面シートの液透過性を確保して、吸収体の吸収性能を有効に活用することが容易となる。したがって、エアーで吹き付ける方式によるジアミド誘導体の塗布は、所望の吸収性物品を得るうえで好適である。勿論、エアーで吹き付ける方式を適用する場合にも、ジアミド誘導体は、後述するダイスコーター方式による塗布についての説明の中で述べるようなストライプ状や格子状等、所望のパターンの下に塗布することが可能である。
【００３７】
ダイスコーター方式では、他の方法に比べてジアミド誘導体が塗布対象物に面状もしくは層状に塗布されるため、ジアミド誘導体の種類や塗布量、あるいは塗布位置によっては、吸収体の吸収性能が低下することがある。したがって、吸収体を覆うことになる表面シートもしくはその材料となるシートに本方式を適用してジアミド誘導体を塗布する場合には、長手方向Ｄ１または幅方向Ｄ２（図１（Ａ）参照）にストライプ状に塗布する、格子状に塗布する等、平面視したときにジアミド誘導体による吸収体の被覆率が抑えられるように工夫を凝らすことが好ましい。
【００３８】
ジアミド誘導体の塗布量（塗工量）は、吸収体の吸収性能への影響のみならず、風合いおよびスキンケア効果も勘案して選定することが好ましい。例えばジアミド誘導体を被膜状もしくは層状に連続的に塗布した場合には、着用者の肌との接触面積が広がることから、肌へのジアミド誘導体の移行量が多くなると共に広範囲に亘って肌を被い易くなり、スキンケア効果が高まるが、その一方で、吸収体の吸収性能を低下させ易くなると共に、べたつき感を生じさせることがある。
【００３９】
スキンケア効果、風合い等を勘案すると、ジアミド誘導体の塗布量（ジアミド誘導体が実際に塗布されている領域での塗布量を意味する。）は、概ね０．０５〜２０ｇ／ｍ２ の範囲内とすることが好ましく、概ね０．１〜１０ｇ／ｍ２ のの範囲内とすることがより好ましい。特に表面シートに塗布する場合は、０．１〜５ｇ／ｍ２ の範囲内とすることが更に好ましい。この塗布量は、ジアミド誘導体を塗布する前と塗布した後の塗布対象物の重量差から求めることができる。
【００４０】
必要に応じて、１つの吸収性物品中で２種類の塗布方式を併用してもよい。例えば、より高いスキンケア効果が求められる臀部との接触部位においてはダイスコーター方式を採用し、吸収性能とスキンケア効果の両立が求められる排尿部付近においてはスプレー方式を採用してもよい。
【００４１】
吸収体上にもジアミド誘導体を塗布する場合、その塗布量を上述の範囲内とすることにより、表面シートの吸水速度（ＪＩＳ  Ｌ  １０９６  吸水性、吸水速度、Ａ法（滴下法））を１０秒以下にすることが可能である。したがって、実用的な吸収性能を備えた吸収性物品を得ることができる。
【００４２】
使用するジアミド誘導体は１種のみであってもよいし、２種以上の複数種であってもよい。必要に応じて、他の油性スキンケア剤と併用することもできる。当該他の油性スキンケア剤としては、着用者の肌に対して保護、治癒等の効能を有するものを特に制限なく用いることができ、例えば化粧品の分野においてエモリエント剤として用いられているもの等を用いることができる。
【００４３】
上記他の油性スキンケア剤の具体例としては、流動パラフィン、シリコーンオイル、動植物油（オリーブ油、ホオバ油、ベニバナ油、スクワランおよびスクワレン等）、モノグリセライド、ジグリセライド、トリグリセライド、脂肪族エーテル（ミリスチル−１，３−ジメチルブチルエーテル、パルミチル−１，３−ジメチルブチルエーテル、ステアリル−１，３−ジメチルブチルエーテル、パルミチル−１，３−メチルプロピルエーテル、ステアリル−１，３−メチルプロピルエーテル等）、イソステアリル−コレステロールエステル、パラフィンワックス、Ｃ１２〜Ｃ２２脂肪酸、Ｃ１２〜Ｃ４４脂肪酸エーテル、Ｃ１２〜Ｃ２２脂肪アルコール、ワセリン、脂肪酸ソルビタンエステル（モノエステル、ジエステル、およびトリエステルのいずれでもよい。）、ポリオキシエチレン脂肪酸ソルビタンエステル（モノエステル、ジエステル、およびトリエステルのいずれでもよい。）、金属石験（ステアリン酸マグネシウム等）、ショ糖脂肪酸エステル、シクロデキストリン脂肪酸エステル、シリコーン、シリコーン系レジン、特許文献１または特許文献２に記載されている発明で使用されるエモリエント剤等が挙げられる。
【００４４】
上述した実施形態の吸収性物品は展開型のおむつであるが、本発明の吸収性物品はパンツ型のおむつであってもよい。展開型およびパンツ型のいずれのおむつにおいても、肌のかぶれを抑制するという観点からは、少なくとも吸収体の上方に、前記式（Ｉ）で表されるジアミド誘導体を局所的に、または、平面視したときに吸収体全体を覆うようにして塗布することが好ましい。
【００４５】
展開型およびパンツ型のいずれのおむつにおいても、前記式（Ｉ）で表されるジアミド誘導体は、例えば、表面シート１１にのみ、ウエストフラップ３０ａ、３０ｂにのみ、胴回りフラップ３５ａ、３５ｂにのみ、または、レッグフラップ４５ａ、４５ｂにのみ塗布することも可能であるし、これらの何れか２箇所以上に塗布することも可能である。ウエストフッラプ、胴回りフラップ、およびレッグフラップについては、特にこれらの領域にギャザー（ウエストギャザー、胴回りギャザー、またはレッグギャザー）を形成する場合には、前記式（Ｉ）で表されるジアミド誘導体を全体にまたは局所的に塗布することが好ましい。
【００４６】
本発明の吸収性物品はおむつに限られず、生理用ナプキン、失禁パッド、パンティライナー、おりものシート等の他の吸収性物品であってもよい。
【００４７】
吸収性物品の材料として使用される各シートは、多くの場合、不織布によって形成される。上述のジアミド誘導体や水溶性スキンケア剤を不織布に塗布（固定）するうえで当該不織布を構成する繊維に特別の制限はなく、レーヨンやテンセル等の半合成繊維や、ポリエチレン、ポリプロピレン、ポリエチレンテレフタレート、ポリアクリル酸、ポリアミド等の熱可塑性樹脂からなる単一繊維、あるいは、芯鞘型もしくはサイド・バイ・サイド型の複合繊維等の合成繊維は勿論、パルプやコットン等の天然繊維であってもよい。
【００４８】
不織布を構成する繊維は１種のみであってもよいし２種以上であってもよく、各繊維は、長繊維および短繊維のいずれの形態であってもよい。さらに、繊維の繊度にも特別の制限はなく、目的とするおむつの用途やグレード等に応じて適宜選択可能であるが、上記の内側シートや表面シートに使用される繊維の繊度は、概ね０．５〜８．９ｄtex 、特に、概ね１〜５．６ｄtex の範囲内になることが多い。
【００４９】
なお、生理用ナプキンにおける表面シートは、液透過性の開孔フィルムによって形成されることもある。表面シートが開孔フィルムによって形成されている場合でも、この表面シートに前記式（Ｉ）で表されるジアミド誘導体を局所的に、または当該表面シートを覆うようにして塗布し、必要に応じて水溶性スキンケア剤を併用することにより、前述した実施形態の各おむつと同様の技術的効果を得ることが可能である。
【００５０】
塗布対象物の材料の種類に拘わらず、前記式（Ｉ）で表されるジアミド誘導体をシリコーンと併用することにより、吸収性物品と着用者の肌との摩擦を低減させることが容易になると共に、ジアミド誘導体によるべたつき感を抑えることが容易になる。さらに、シリコーンは、ジアミド誘導体を塗布する際に離型剤として機能させることができる。シリコーンの使用量は、前記式（Ｉ）で表されるジアミド誘導体１００重量部に対して、概ね０．１〜５重量部とすることができる。シリコーンとしては、液体や固体などあらゆる性状のものを使用することができるが、液体の場合には３６℃での粘度が概ね５〜１００００ｍＰａ・ｓ、さらには１０〜１０００ｍＰａ・ｓのものが好適である。なお、シリコーンを併用した場合においては、前記ジアミド誘導体をシリコーンとの混合物として吸収性物品に設けることが好ましく、当該混合物の粘度は３６℃で概ね５０００ｍＰａ・ｓ以下、特に２００〜５０００ｍＰａ・ｓ、とりわけ５００〜２０００ｍＰａ・ｓであることが好ましい。
【００５１】
シリコーンの使用の有無に拘わらず、肌の傷つきを抑える目的で、摩擦低減剤を吸収性物品に付着させることもできる。摩擦低減剤としては、有機物質からなる板状結晶体や有機微粒子を用いることができる。上記の板状結晶体としては、例えば、アシル化タウリン金属塩（ラウロイルタウリンカルシウム塩、ラウロイル−β−アラニルカルシウム）、ジステアリルエーテル、セチルリン酸亜鉛ナトリウム、およびＮ−ε−ラウロイル−Ｌ−リジン等が挙げられ、上記の有機粒子としては、例えば、シリコーンビーズ、ナイロンビーズ、キトサンビーズ等が挙げられる。
【００５２】
必要に応じて、アルミニウムヒドロキシクロライド、アルミニウム−ジルコニウム塩、パラフェノールスルホン酸亜鉛等の制汗剤を塗布することもできる。
【００５３】
以上、現時点において最も実践的であり、かつ、好ましいと思われる実施形態に関連して本発明を説明したが、本発明は、本件明細書中に開示された実施形態に限定されるものではなく、請求の範囲および明細書全体から読み取れる発明の要旨あるいは思想に反しない範囲で適宜変更可能であり、そのような変更を伴う吸収性物品もまた本発明の技術的範囲に包含されるものとして理解されなければならない。
【実施例】
【００５４】
以下、実施例を挙げて本発明を具体的に説明する。
（実施例１）
前記式（Ｉ）で表されるジアミド誘導体の１種である下式（II）のジアミド誘導体を用いて、実施形態のおむつ７０と同様の構成を有する展開型おむつを作製した。
【化２】
2004255166.tif 000004
【００５５】
このとき、表面シート１１としては、芯成分がポリプロピレンで、鞘成分がポリエチレンである繊度３．３ｄtex の芯鞘型複合繊維を用いた坪量３０ｇ／ｍ２ の不織布を使用し、上記のジアミド誘導体は、この不織布にスプレーコーターを用いて８０℃の温度条件下に塗布した。ジアミド誘導体の塗布量（塗布した領域での塗布量）は１．０ｇ／ｍ２ であり、塗布されたジアミド誘導体の３６℃での粘度は１８００ｍＰａ・ｓである。
【００５６】
また、サイドシート１３ａ、１３ｂとしては、ポリプロピレン繊維によって形成された坪量２０ｇ／ｍ２ の不織布を用い、外層シート１５としては、直鎖状低密度ポリエチレンと炭酸カルシウムとを均一混合した後にダイスから押し出して得たフィルムに一軸延伸処理を施して得た透湿度（ＪＩＳ  Ｚ  ０２０８準拠）４８００ｇ／ｍ２・２４時間の液不透過性通気性フィルムを用いた。そして、吸収体２０としては、高吸水性ポリマーとパルプとを重量比で５０：５０の割合で混合して得た吸収材全体を台紙で覆ったものを用いた。
【００５７】
（実施例２）
ジアミド誘導体の塗布量域を、表面シート１１全体のみならず、ウエストフラップ３０ａ、３０ｂおよび立体ガード６０ａ、６０ｂそれぞれの内側面全体にまで拡大した以外は実施例１と同様にして、展開型おむつを作製した。
【００５８】
（実施例３）
ジアミド誘導体に代えて、当該ジアミド誘導体１００重量部に直鎖状ポリシロキサン（３６℃での粘度は１０００ｍＰａ・ｓ）２重量部を混合して得た混合物（３６℃での粘度は１８００ｍＰａ・ｓ）を用いた以外は実施例１と同様にして、展開型おむつを作製した。
【００５９】
（比較例１）
ジアミド誘導体を塗布しなかった以外は実施例１と同様にして、おむつを作製した。
【００６０】
＜おむつかぶれ防止能の評価＞
各実施例および比較例１でそれぞれ作製したおむつを１０名のモニターに使用してもらい、比較例１のおむつでのかぶれ発生頻度を１としたときの相対的な発生頻度を求めた。この値が小さいほど、比較例１のおむつに比べてかぶれ防止能が高い。
【００６１】
各おむつでのかぶれ発生頻度の測定結果を、当該おむつに塗布されているジアミド誘導体の塗布部位と共に表１に示す。
【００６２】
【表１】
2004255166.tif 000005
【００６３】
表１から明らかなように、各実施例で作製したおむつは、比較例１で作製したおむつに比べて、かぶれ防止能に優れている。
【図面の簡単な説明】
【００６４】
【図１】図１（Ａ）は、本発明に係る一実施形態のおむつを緊張状態に保持し、これを上面からみたときの概略図であり、図１（Ｂ）は、図１（Ａ）に示したおむつを自然状態に保持して図１（Ａ）に示したＩＢ−ＩＢ線に相当する箇所で切断したときの断面の概略図である。
【符号の説明】
【００６５】
１０  内側シート
１１  表面シート
１３ａ、１３ｂ  サイドシート
１５  外層シート
２０  吸収体
３０ａ、３０ｂ  ウエストフラップ
３３ａ、３３ｂ  ウエスト弾性部材
３５ａ、３５ｂ  胴回りフラップ
３７ａ、３７ｂ  胴回り弾性部材
４０ａ、４０ｂ  レッグ弾性部材
４５ａ、４５ｂ  レッグフラップ
６０ａ、６０ｂ  立体ガード
７０  吸収性物品（おむつ）
【図１】
2004255166.tif 000007